(57)【要約】【課題】  壁面冷却能力に優れ、壁面への塩類の付着成長、水分の付着とそれに伴う腐食を防止でき、かつ入口側の排ガスの性状や温度、流量の変動の影響を受けにくい排ガス冷却設備およびその制御方法を提供する。【解決手段】  高温の排ガスの排ガスの排出経路（２）に減温塔（１）を備え、前記減温塔の上部（１１）から導入された排ガス（ｃ）を冷却して下部（１３）から下流側に送出する排ガス冷却設備において、前記減温塔の上部（１１）には水噴霧ノズル（１８）を設け、前記水噴霧ノズルより下方の周壁（１０）には、略接線方向に空気を吹込み前記周壁に沿って上昇または下降する旋回気流（ａ，ｂ）を生じさせる空気吹込みノズル（１７）を設けた。【選択図】    図１
2008014601.tif 000002
【特許請求の範囲】
【請求項１】
高温の排ガスの排出経路に減温塔を備え、前記減温塔の上部から導入された排ガスを冷却して下部から下流側に送出する排ガス冷却設備において、前記減温塔の上部に水噴霧ノズルを設け、前記水噴霧ノズルより下方の周壁には、前記減温塔内に略接線方向に空気を吹込み前記周壁に沿った旋回気流を生じさせる空気吹込みノズルを設けたことを特徴とする排ガス冷却設備。
【請求項２】
前記水噴霧ノズルは、前記減温塔の略中央下方に向けて配向されていることを特徴とする請求項１記載の排ガス冷却設備。
【請求項３】
前記水噴霧ノズルは、前記減温塔の周壁に周方向に離間して複数設けられていることを特徴とする請求項１または２に記載の排ガス冷却設備。
【請求項４】
前記空気吹込みノズルは、前記減温塔の上方に向けて斜めに配向されていることを特徴とする請求項１記載の排ガス冷却設備。
【請求項５】
前記空気吹込みノズルは、前記減温塔の周方向に等間隔で複数設けられていることを特徴とする請求項１または４に記載の排ガス冷却設備。
【請求項６】
請求項１〜５のいずれか１項に記載された排ガス冷却設備において、前記減温塔の出口温度に応じて前記空気吹込みノズルの空気量と前記水噴霧ノズルの水量を調節し、前記減温塔の出口温度を一定に保持する制御方法であって、
前記空気吹込みノズルの空気量が上限値に達するまでは、前記水噴霧ノズルからの水噴霧は行なわずに吹込み空気量のみを増減し、前記空気吹込みノズルの空気量が上限値に達した場合には、前記水噴霧ノズルからの水噴霧を、水粒子を適正に生成できる下限値の水量において開始し、該水量を下限値と上限値の間で増減することを特徴とする排ガス冷却設備の制御方法。
【請求項７】
前記空気吹込みノズルの空気量が上限値に達し、前記水噴霧ノズルからの水噴霧を開始した後に、吹込み空気量を一旦減少させ、吹込み空気量が再度上限値に達するまでは、前記水噴霧ノズルの水量を下限値に維持し、前記空気吹込みノズルの空気量が再度上限値に達した場合には、前記水噴霧ノズルの水量を下限値と上限値の間で増減することを特徴とする請求項６に記載の排ガス冷却設備の制御方法。
【請求項８】
前記水噴霧ノズルからの水噴霧を開始した後に、前記空気吹込みノズルの空気量が上限値を下回った場合には、吹込み空気量が上限値に満たない閾値以下となるまでは、前記水噴霧ノズルの水量を下限値に維持し、吹込み空気量が閾値以下となった場合に、水噴霧を停止することを特徴とする請求項６に記載の排ガス冷却設備の制御方法。
【請求項９】
前記空気吹込みノズルの空気量が閾値以下となって、前記水噴霧ノズルからの水噴霧を停止した後に、吹込み空気量を一旦増加させることを特徴とする請求項８に記載の排ガス冷却設備の制御方法。
【発明の詳細な説明】
【技術分野】
【０００１】
本発明は、灰溶融炉等で発生する高温の排ガスを冷却する排ガス冷却設備及びその制御方法に関する。
【背景技術】
【０００２】
従来から、下水汚泥、都市ごみ及び産業廃棄物等の焼却灰は、その資源化、減容化及び無害化を図るために、灰溶融炉で溶融されスラグとして取り出され、種々の利用に供されている。例えば、図８に示すようなプラズマアーク式灰溶融炉５１では、前処理を経て灰供給ホッパ５３から炉本体５２内に投入された焼却灰を、プラズマ電極５４の高温プラズマで溶融して溶融スラグ５５を生成し、この溶融スラグ５５は、出滓口５６から出滓樋５７を通って排出され、排出コンベヤ５８などを経てスラグ排出系に導かれる。
【０００３】
一方、灰溶融炉５１の炉本体５２内で発生した排ガス５９は、排ガスダクト６０を通じて二次燃焼室６１に導かれ、二次燃焼室６１で排ガス中の可燃成分を燃焼した後、減温塔６２に導入され、所定の温度まで冷却された状態でバグフィルタ６３、洗煙塔６４を経て浄化され煙突６５から大気中に放出される。
【０００４】
ところで、前記焼却灰中には塩類が多く含まれているため、二次燃焼室６１から減温塔６２に導入される排ガスには、塩類の濃度の高いダストが含まれている。二次燃焼室６１の温度は、ダイオキシン分解と耐火物保護のために８００〜１２００℃に維持されているので、前記ダストに含まれる塩類は溶融し揮散しているが、減温塔６２では排ガスを１５０〜２００℃程度まで冷却するので、減温塔６２の壁面温度が３００〜８００℃の範囲では、排ガス中の塩類が壁面に付着成長したり、閉塞させたりすることがある。
【０００５】
そこで、上記の壁面温度域が少なくなるようにするためには、冷却水と冷却空気とを併用して排ガスの冷却を行ない、減温塔６２の冷却効果を高めることが有利である（特許文献１、２参照）。しかし、冷却水の気化が不充分であったり水滴が粗大化したりして減温塔６２の内壁面に水粒子が衝突すると、減温塔６２のハウジングが腐食する問題がある。
【０００６】
さらに、灰溶融炉５１で多場所から収集された灰を溶融する場合など入口灰性状の変化や、灰溶融炉５１からの溶融スラグ５５の排出状態の変化に伴い、二次燃焼室６１の排ガス温度やガス流量が変化するので、このような入口変動の影響を受けないロバストな運転方法が求められている。しかし、二次燃焼室６１や減温塔６２の内部は高温であり、排ガス温度やガス流量を入口側で正確に検知することは困難であるうえ、冷却水と冷却空気とは相互に冷却特性が異なるため、制御の如何によってはハンチングなどの問題を生じる虞もあった。
【０００７】
【特許文献１】特開２００２−５８９４８号公報
【特許文献２】特許第３６４３７７５号公報
【発明の開示】
【発明が解決しようとする課題】
【０００８】
本発明はこのような実状に鑑みてなされたものであって、その目的は、冷却水と冷却空気とを併用し冷却能力に優れ、壁面温度が低く維持されることで壁面への塩類の付着成長を抑制できるとともに、水粒子の壁面への付着とそれに伴う腐食を防止することができ、しかも、入口側での排ガスの性状や温度、流量の変動の影響を受けにくい排ガス冷却設備およびその制御方法を提供することにある。
【課題を解決するための手段】
【０００９】
上記従来技術の有する課題を解決するため、本発明は、高温の排ガスの排出経路に減温塔を備え、前記減温塔の上部から導入された排ガスを冷却して下部から下流側に送出する排ガス冷却設備において、前記減温塔の上部に水噴霧ノズルを設け、前記水噴霧ノズルより下方の周壁には、前記減温塔内に略接線方向に空気を吹込み前記周壁に沿った旋回気流を生じさせる空気吹込みノズルを設けたことを特徴とする。
【００１０】
本発明の好適な態様において、前記水噴霧ノズルは、前記減温塔の略中央下方に向けて配向されている。また、前記水噴霧ノズルは、前記減温塔の周壁に周方向に離間して複数設けられている。また、前記空気吹込みノズルは、前記減温塔の上方に向けて斜めに配向されている。さらに、前記空気吹込みノズルは、前記減温塔の周方向に等間隔で複数設けられている。
【００１１】
また本発明は、前記減温塔の出口温度に応じて前記空気吹込みノズルの空気量と前記水噴霧ノズルの水量を調節し、前記減温塔の出口温度を一定に保持する制御方法であって、
前記空気吹込みノズルの空気量が上限値に達するまでは、前記水噴霧ノズルからの水噴霧は行なわずに吹込み空気量のみを増減し、前記空気吹込みノズルの空気量が上限値に達した場合には、前記水噴霧ノズルからの水噴霧を、水粒子を適正に生成できる下限値の水量において開始し、該水量を下限値と上限値の間で増減する制御方法を採用した。
【００１２】
前記制御方法において、前記空気吹込みノズルの空気量が上限値に達し、前記水噴霧ノズルからの水噴霧を開始した後に、吹込み空気量を一旦減少させ、吹込み空気量が再度上限値に達するまでは、前記水噴霧ノズルの水量を下限値に維持し、前記空気吹込みノズルの空気量が再度上限値に達した場合には、前記水噴霧ノズルの水量を下限値と上限値の間で増減することが好適である。
また、前記水噴霧ノズルからの水噴霧を開始した後に、前記空気吹込みノズルの空気量が上限値を下回った場合には、吹込み空気量が上限値に満たない閾値以下となるまでは、前記水噴霧ノズルの水量を下限値に維持し、吹込み空気量が閾値以下となった場合に、水噴霧を停止することが好適である。
さらに、前記空気吹込みノズルの空気量が閾値以下となって、前記水噴霧ノズルからの水噴霧を停止した後に、吹込み空気量を一旦増加させることが好適である。
【発明の効果】
【００１３】
本発明は、高温の排ガスの排出経路に減温塔を備え、前記減温塔の上部から導入された排ガスを冷却して下部から下流側に送出する排ガス冷却設備において、前記減温塔の上部に水噴霧ノズルを設け、前記水噴霧ノズルより下方の周壁には、前記減温塔内に略接線方向に空気を吹込み前記周壁に沿った旋回気流を生じさせる空気吹込みノズルを設けたので、前記旋回気流が減温塔の周壁に沿って上下に拡散し、螺旋状に旋回しながら上昇する気流と下降する気流とを生じ、前記上昇気流によって減温塔の壁面温度が低く抑えられ、壁面への塩類の付着成長が抑制される。
また、主排ガス流および前記下降気流による誘引と前記周壁に沿った空気の吹込みによって減温塔の中心部の圧力が相対的に低くなり、減温塔に上部から導入された高温の排ガスが主に減温塔の中心部を流下し、それに伴い減温塔の上部に噴霧された水粒子が減温塔の中心部に誘導され、減温塔の中心部で気化することによって、効率良く冷却がなされると共に、水粒子の壁面への付着とそれに伴うハウジングの腐食が防止される。さらに、冷却用空気が減温塔の壁面に沿った旋回気流を形成し壁面温度が低く抑えられることにより、入口側での排ガスの性状や温度、流量の変動に壁面温度が影響を受けにくく、これら入口変動が吸収されることで安定した冷却効果を得ることができる。
【００１４】
前記水噴霧ノズルが、前記減温塔の略中央下方に向けて配向されている態様では、水粒子が減温塔内の排ガスの流れに沿って高温の中心部に確実に誘導され、一層効率良く冷却がなされ、水粒子の壁面への付着とそれに伴うハウジングの腐食を防止することができる。また、前記水噴霧ノズルが、前記減温塔の周壁に周方向に離間して複数設けられている態様では、各水噴霧ノズルに水量が分散され、減温塔内に最適な分布で水噴霧が行える。
【００１５】
また、前記空気吹込みノズルが、前記減温塔の上方に向けて斜めに配向されている態様では、排ガスの流れに逆向する前記旋回上昇気流を、より上方まで遡上させることができ、減温塔内の広範囲に亘って壁面冷却効果を得ることができる。さらに、前記空気吹込みノズルが、前記減温塔の周方向に等間隔で複数設けられている態様では、複数の空気吹込みノズルに空気量が分散され、減温塔の壁面に沿って周方向に均等な旋回気流を形成でき、周方向に均等な壁面冷却効果を得ることができる。
【００１６】
そして、前記減温塔の出口温度に応じて前記空気吹込みノズルの空気量と前記水噴霧ノズルの水量を調節し、前記減温塔の出口温度を一定に保持する制御方法であって、
前記空気吹込みノズルの空気量が上限値に達するまでは、前記水噴霧ノズルからの水噴霧は行なわずに吹込み空気量のみを増減し、前記空気吹込みノズルの空気量が上限値に達した場合には、前記水噴霧ノズルからの水噴霧を、水粒子を適正に生成できる下限値の水量において開始し、該水量を下限値と上限値の間で増減する制御方法を採用したので、極力空気で冷却がなされ、ランニングコストを低く抑えることができるとともに、冷却水の使用が必要最小限となり、排ガス中の水分が必要最小限となるため、水粒子の壁面への付着とそれに伴うハウジングの腐食をさらに防止することができる。また、水噴霧ノズルからの水噴霧を、水粒子を適正に生成できる下限値以上で行なうことにより、水滴の粗大化による壁面への水分の付着を防止できる。
【００１７】
前記制御方法において、前記空気吹込みノズルの空気量が上限値に達し、前記水噴霧ノズルからの水噴霧を開始した後に、吹込み空気量を一旦減少させ、吹込み空気量が再度上限値に達するまでは、前記水噴霧ノズルの水量を下限値に維持し、前記空気吹込みノズルの空気量が再度上限値に達した場合には、前記水噴霧ノズルの水量を下限値と上限値の間で増減する制御を行なうことにより、水噴霧開始時における冷却能力の急激な増加とそれに伴う出口温度の変動を抑制し、冷却効率の連続性を維持できる。
【００１８】
また、前記水噴霧ノズルからの水噴霧を開始した後に、前記空気吹込みノズルの空気量が上限値を下回った場合には、吹込み空気量が上限値に満たない閾値以下となるまでは、前記水噴霧ノズルの水量を下限値に維持し、吹込み空気量が閾値以下となった場合に、水噴霧を停止する制御を行なうことにより、水噴霧停止時におけるハンチングを防止でき、出口温度を即座に目標値に追従させることができる。
【００１９】
さらに、前記空気吹込みノズルの空気量が閾値以下となって、前記水噴霧ノズルからの水噴霧を停止した後に、吹込み空気量を一旦増加させる制御を行なうことにより、水噴霧停止時における冷却能力の急激な減少とそれに伴う出口温度の変動を抑制し、冷却効率の連続性を維持できる。
【発明を実施するための最良の形態】
【００２０】
以下、本発明を図示の実施の形態に基づいて詳細に説明する。
図１は、本発明の実施形態に係わる減温塔１の概略を示す縦断面図であり、図２はそのＡ−Ａ断面図、図３はＢ−Ｂ断面図である。図において減温塔１は、円筒状の本体部１２の上側に、本体部１２に向けて拡径した切頭円錐形状の上部１１が接合され、上部１１の上端部１１ａには、上流側の二次燃焼室（図示せず）に連通される排ガスダクト２が接続されている。また、本体部１２の下側には、ホッパを構成する漏斗状の下部１３が接合され、下部１３の上端の一側は本体部１２の側方に張出しており、この張出部分に斜上方に向けて出口ダクト１４が接続され、該出口ダクト１４には下流側のバグフィルタに連なる排ガスダクト（図示せず）が接続される。なお、下部１３の下端はダスト排出部１５であり、その内部には排出口１６にダストを排出するスクリューコンベアが付設されている。
【００２１】
減温塔１の上部１１および本体部１２の内壁部１０は耐火材で覆われている。減温塔１の上流側の排ガスダクト２は、二次燃焼室側から上方に向かう直線部２０と、それに続く上り傾斜部２１、下り傾斜部２２、減温塔１に接続する直線部２３で構成され、水平部分や緩傾斜部分を含まず内壁部にダストが滞留しないように構成されている。出口ダクト１４とその下流側の排ガスダクトも同様である。
【００２２】
そして、減温塔１の本体部１２の下端近傍には空気吹込みノズル１７が設けられている。空気吹込みノズル１７は、図２に示すように、本体部１２の周方向に等間隔で６箇所設けられ、かつ、それぞれが本体部１２の接線方向に空気を吹込み、本体部１２の周壁面に沿った旋回気流を生じさせるように配向されている。即ち、空気吹込みノズル１７は、そのノズル口径に対応した一定の幅を有して吹込まれた空気流が、その幅を維持して本体部１２の周壁面に沿って旋回気流を形成したと仮定した場合の、前記旋回気流の中心円の接線上に空気吹込みノズル１７の中心軸が配置されており、周壁面の接線方向に対しては適宜の傾斜角αをなして斜めに配向されている。各空気吹込みノズル１７は、図示しない空気量調整弁（ダンパ）を介してブロワなどの空気供給源に接続されている。
【００２３】
さらに、減温塔１の上部１１の周壁には、冷却水を噴霧する水噴霧ノズル１８が設けられている。水噴霧ノズル１８は、図３に示すように、上部１１の周壁の片側に等間隔で４箇所設けられ、それぞれが減温塔１の中心部に向けて、減温塔１略中央下方に向けて配向されている。水噴霧ノズル１８の上記配置は、排ガスダクト２を通じて図１中右側上方から流下する排ガス流に対向して冷却水を噴霧することを考慮したものであるが、水噴霧ノズル１８の配置はこの限りではない。各水噴霧ノズル１８は、図示しない水量調整弁を介して冷却水供給源に接続されている。
【００２４】
次に、上記実施形態に基づき減温塔１の基本的な冷却作用を説明する。
【００２５】
図１において、二次燃焼室側からの排ガス流ｃは、上端部１１ａから減温塔１上部１１に導引され、後述する理由により減温塔１内の主に中心部を流下して本体部１２から下部１３に至り、出口ダクト１４から下流側のバグフィルタに排出される。一方、空気吹込みノズル１７から減温塔１内に吹込まれた冷却用の空気は、減温塔１の周壁面に沿った旋回気流を形成するが、加圧された空気流が減温塔１の周壁面に吹き当たることで周壁面に沿って上下に拡散され、図１および図４に模式的に示すように、減温塔１の周壁面に沿って螺旋状に旋回しながら上昇する上昇気流ａと、旋回しながら下降する下降気流ｂとを生じ、これら上昇気流ａと下降気流ｂとによって減温塔１の壁面が冷却され、壁面温度が低く抑えられる。
【００２６】
そして上昇気流ａは、空気吹込みノズル１７からの吹込み空気量（空気圧）に応じた到達度で上方に遡上しながら徐々に排ガス流ｃに合流し、排ガスの冷却がなされる。この際、減温塔１の周辺部への空気の吹込みにより減温塔１の中心部の圧力が相対的に低くなるため、排ガス流ｃは減温塔１の中心部に誘導され、主に中心部を流下する。これにより排ガス流ｃと減温塔内壁面との接触が抑制され、壁面温度の上昇が抑制される。即ち、空気吹込みノズル１７からの旋回気流は、壁面に沿って吹込まれることによる直接的な壁面冷却効果と、高温の排ガス流と壁面との接触を抑制する間接的な壁面冷却効果との、複合的な壁面冷却効果を有している。
【００２７】
なお、図示例では空気吹込みノズル１７の直ぐ下側に非回転体形状の下部１３が配置され、かつ出口ダクト１４が連通しているので、下降気流ｂは直ちに排ガス流ｃに合流するが、本体部１２がさらに下方に延長されているか、本体部１２の高さ方向の中間部に空気吹込みノズル１７が設けられている場合には、下降気流ｂは壁面に沿って旋回しながら下降し、減温塔の下方の壁面が冷却される。また、図示例の空気吹込みノズル１７は水平面内に配設され、減温塔１の軸方向に向かう方向成分はないが、空気吹込みノズル１７を上方に向けて斜めに配向し、吹込み空気量が上昇気流ａの形成により多く配分されるようにしても良い。
【００２８】
さらに、二次燃焼室側からの排ガス流ｃの熱量が上昇し、より強力な冷却が必要な場合には、減温塔１の上部１１において水噴霧ノズル１８から冷却水が噴霧され、空気吹込みノズル１７から吹込まれる空気と併用して冷却が行なわれる。この冷却水は、減温塔１の中心部下方に向けて斜めに噴霧されるが、壁面に沿って遡上した上昇気流ａとともに減温塔１の中心部に誘導され、排ガス流ｃと高温部において混合され、効率良く冷却がなされると共に、減温塔１の中心部で確実に気化され、冷却水の水粒子が壁面に衝突するのが防止される。
【００２９】
以上のような旋回気流の複合的な冷却作用と、併用される冷却水の冷却作用により、減温塔１の壁面温度が低く抑えられ、排ガス流ｃの冷却が減温塔１の中心部で進行することにより、壁面に３００〜８００℃の温度域が生じにくく、排ガス中の塩類の壁面への付着およびその成長が防止されるとともに、壁面への水分の付着とそれに伴うハウジングの腐食が防止される。また、入口側での排ガスの性状や温度、流量の変動に壁面温度が影響を受けにくく、これら入口変動が吸収されることで安定した冷却効果を得ることができる。
【００３０】
次に、上記実施形態に基づき減温塔１の運転方法ついて説明する。
【００３１】
水噴霧ノズル１８の水量には、水粒子を適正に生成するための下限値が存在する。また、減温塔１の下流側に設けた排ガス誘引ファン（図示せず）の容量にも限界があるため、吹込み空気量には上限値が存在する。さらに、ランニングコストや壁面への水分付着を防止する点では、冷却水の使用を控えることが有利である。これらを勘案すると、減温塔１の具体的な運転方法は以下のようになる。
【００３２】
基本的には、減温塔１の出口ダクト１４に設けたセンサ１９（熱電対など）の計測値から排ガス熱量Ｈの変動を判断し、それに基づいて、空気吹込みノズル１７の空気量（空気量調整弁の開度）と水噴霧ノズル１８の水量（水量調整弁の開度）を制御し、出口温度を一定に保持する。
その際、
（１）空気吹込みノズル１７の空気量が上限値Ｑａに達するまでは、水噴霧ノズル１８からの水噴霧は行なわず、排ガス熱量Ｈに応じて吹込み空気量のみを増減する。
（２）空気吹込みノズル１７の空気量が上限値Ｑａに達した場合には、水噴霧ノズル１８から下限値の水量Ｑｗにおいて水噴霧を開始する。
【００３３】
上記運転方法に基づく排ガス熱量Ｈと空気吹込みノズル１７の空気量、水噴霧ノズル１８の水量の関係を図５に示す。図において、Ｈ１−Ｈ２間の破線は理想的な直線を表している。理想的には空気吹込みノズル１７の空気量が上限値Ｑａに達した場合に、上限値Ｑａを保持することが好ましいが、水噴霧ノズル１８から下限値の水量Ｑｗで水噴霧を開始すると、冷却能力が急激に増加し、出口温度が不必要に降下する虞がある。
そこで、
（３）上記水噴霧開始時に、空気量を一旦減少させ、再度空気量が上限値Ｑａに達するまでは、水量を下限値Ｑｗに保持し、空気量を増加させることで旋回気流による壁面冷却効果をできるだけ引き出し、再度空気量が上限値Ｑａに達した場合には、水噴霧ノズル１８の水量を下限値Ｑｗと上限値Ｑａの間で増減する。
【００３４】
一方、排ガス熱量Ｈが減少し水噴霧ノズル１８からの水噴霧を停止する際に、下限値の水量Ｑｗから直ちに水量調整弁を全閉にすると、冷却能力が急激に減少し、ハンチングを起こして出口温度が変動する虞がある。
そこで、
（４）水噴霧ノズル１８からの水噴霧を開始した後に、排ガス熱量Ｈの減少により空気吹込みノズル１７の吹込み空気量が上限値Ｑａを下回った場合には、空気量が閾値Ｑｂ以下となるまで水量を下限値Ｑｗに維持し、空気量が閾値Ｑｂ以下となった場合に、水噴霧ノズル１８からの水噴霧を停止する。
さらに、
（５）空気吹込みノズル１７の空気量が閾値Ｑｂ以下となって、水噴霧を停止した際に、空気量を一旦増加させる。
【００３５】
以上のような吹込み空気量と水量の制御は、基本的には減温塔１の出口温度を一定に保持するＰＩＤ制御により行う。すなわち、図６（ａ）に示すように、出口温度のＰＶ値とＳＶ値の偏差に比例した比例動作（Ｐ動作）、偏差の継続時間に比例した積分動作（Ｉ動作）、偏差の変化率に比例した微分動作（Ｄ動作）を組み合わせたＰＩＤ制御の出力を開度指令とし、図６（ｂ）のダイヤグラムに従って空気量調整弁（ダンパ）と水量調整弁の開度調整を行なう。上記（４）のハンチング防止を実現する制御ロジックとしては、以下のようなロジックを用いる。
【００３６】
即ち、空気量調整弁の開度が１００％となった場合には、水量調整弁の下限値の開度ｑｗに対応した開度指令Ｔ１を発し、水噴霧ノズル１８からの冷却水噴霧を開始する。開度指令Ｔ１が出た後では、空気量調整弁の開度が上限値ｑａ（１００％）未満となっても、直ちに水量調整弁を全閉にせず、図７に示すロジックに従って下限値開度ｑｗを保持し、空気量調整弁の開度が閾値ｑｂ（例えば９０％、可変）以下になった場合に水量調整弁を全閉にする開度指令Ｔ２を発し、水噴霧ノズル１８からの水噴霧を停止する。
【００３７】
このロジックにより減温塔１の出口温度が上昇して水噴霧ノズル１８を開始した際に、一時的に冷却能力が上がり減温塔出口温度が低くなるが、上記（３）のようにＰＩＤ制御で空気量を下げるため即時に温度が目標値に追従する。逆に、減温塔出口温度が低下して水噴霧ノズル１８を停止した際には、一時的に冷却能力が下がり減温塔出口温度が高くなるが、上記（５）のようにＰＩＤ制御で空気量を上げるため即時に温度が目標値に追従する。このように、水噴霧の開始／停止に伴う冷却能力の増減を空気量で補償する制御をＰＩＤ制御（特にＤ動作）で賄うことにより、例えば水噴霧の開始／停止時期が排ガス熱量Ｈの変動と重なった場合には、結果的に空気量を増減しないで冷却能力を維持するような対応も可能となる。
【００３８】
なお、上記実施形態では空気吹込みノズル１７を６箇所設ける場合を示したが、空気吹込みノズル１７の数および配置はこれに限定されるものではない。但し、良好な旋回気流を形成するためには、周方向に等間隔で複数設けることが有利である。また、空気吹込みノズル１７、水噴霧ノズル１８をそれぞれに共通の調整弁により一斉に開度調節する場合、それぞれに個別に設けた調整弁により個別に開度調節する場合、それぞれ複数を組にして設けた調整弁により各組毎に開度調節する場合があり、さらに、個別あるいは組毎の開度調節には、一部の調整弁が全閉である場合が含まれ、下限値の開度には、１つの調整弁のみが下限値の開度で他が全閉である場合が含まれる。
【００３９】
以上、本発明の実施の形態につき述べたが、本発明は上記実施形態に限定されるものではなく、本発明の技術的思想に基づいて各種の変形および変更が可能である。
【図面の簡単な説明】
【００４０】
【図１】本発明の実施形態に係わる排ガス冷却設備の概略を示す縦断面図である。
【図２】図１のＡ−Ａ断面図である。
【図３】図１のＢ−Ｂ断面図である。
【図４】本発明の実施形態に係わる減温塔内部の旋回気流および排ガス流を示す模式的な斜視図である。
【図５】本発明の実施形態に係わる排ガス冷却設備の制御方法を示すダイヤグラムである。
【図６】（ａ）は、開度指令の出力を示すブロック図、（ｂ）は、空気量調整弁および水量調整弁の制御方法を示すダイヤグラムである。
【図７】水量調整弁の開閉ロジックを示すフローチャートである。
【図８】従来の灰溶融炉における排ガス処理設備を示す概略図である。
【符号の説明】
【００４１】
１  減温塔
２  排ガスダクト
１１  上部
１２  本体部
１３  下部（ホッパ）
１４  出口ダクト
１７  空気吹込みノズル
１８  水噴霧ノズル
１９  センサ
【図１】
2008014601.tif 000003
【図２】
2008014601.tif 000004
【図３】
2008014601.tif 000005
【図４】
2008014601.tif 000006
【図５】
2008014601.tif 000007
【図６】
2008014601.tif 000008
【図７】
2008014601.tif 000009
【図８】
2008014601.tif 000010